(57)【特許請求の範囲】
【請求項１】
仮設階段の側枠に仮設手摺りの支柱を取り付けるための取付装置であって、手摺り支柱の下端部に階段側枠の上面側を把持する上部クランプ部材を固定すると共に、その下方に階段側枠の下面側を把持する下部クランプ部材を上部クランプ部材に対し開閉可能に枢着し、上下両クランプ部材を互いに固定する固定手段を設け、該固定手段は、上下いずか一方のクランプ部材の遊端部に取り付けてあって、上下両クランプ部材により階段側枠を把持した状態で他方のクランプ部材の遊端部に設けたねじ孔にねじ込んで当該階段側枠を締結する締結用ボルトからなり、上部クランプ部材は、手摺り支柱を挟む両側一対の側面視略Ｌ字形側板と両側板の遊端部相互を一体に連結する連結板部とによって側面視略Ｌ字形に形成されたもので、両側板のそれぞれの基端部側には上下２つのボルト挿通孔が貫設され、両Ｌ字形側板の基端部で支柱の下端部を挟み付けた状態で、当該基端部の上下２つのボルト挿通孔から支柱の対応するボルト挿通孔に２本の固定用ボルトを挿通して、それらのボルトの突出端部にナットを螺合し、これによって上部クランプ部材は手摺り支柱に固定され、また下部クランプ部材は、上部クランプ部材とは上下逆向きに配置されていて、上部クランプ部材の下方位置にあって、手摺り支柱を挟む両側一対の側面視略Ｌ字形側板と、両側板の遊端部相互を一体に連結する連結板部とによって側面視略Ｌ字形に形成されたもので、両側板の基端部側にボルト挿通孔が貫設され、両Ｌ字形側板の基端部で支柱の下端部を挟み付けた状態で、当該基端部の１つのボルト挿通孔から支柱の対応するボルト挿通孔に固定用ボルトを挿通して、そのボルトの突出端部にナットを螺合し、これによって下部クランプ部材は上部クランプ部材に対し開閉可能に回動できるよう手摺り支柱に枢着されてなる仮設階段用手摺りの取付装置。
【請求項２】
上部クランプ部材と下部クランプ部材とは互いに同じ形状に形成されている請求項１に記載の仮設階段用手摺りの取付装置。
【請求項３】
固定手段としての締結用ボルトは、下部クランプ部材の遊端部に取り付けられている請求項１又は２に記載の仮設階段用手摺りの取付装置。
【請求項４】
固定手段としての締結用ボルトは、蝶ボルトからなる請求項１〜３のいずれかに記載の仮設階段用手摺りの取付装置。
【発明の詳細な説明】
【０００１】
【発明の属する技術分野】
本発明は、建設作業現場等において、仮設階段の側枠に仮設手摺りの支柱を取り付けるための仮設階段用手摺りの取付装置に関する。
【０００２】
【従来の技術】
従来、仮設階段の側枠に仮設手摺りの支柱を取り付けるにあたっては、手摺り支柱の下端部に取付用ブラケットを固着し、階段側枠の支柱取付部位にボルト孔を開け、支柱の取付用ブラケットを側枠の支柱取付部位にボルトで固定するようにしていた。
【０００３】
【発明が解決しようとする課題】
上記のような従来の取付装置では、手摺り支柱の取り付けにあたって階段側枠に一々孔開け加工をしなければならないため、手間がかかり、また側枠に一旦孔を開けてしまうと、取付位置の変更や調整ができないと云う問題があった。
【０００４】
本発明は、上記に鑑み、仮設階段の側枠に孔開け等の下加工する必要がなく、仮設手摺りの支柱を階段側枠の長手方向所望位置に簡単にしかも位置調整可能に取り付けることができる仮設階段用手摺りの取付装置を提供することを課題とする。
【０００５】
【課題を解決するための手段】
請求項１に係る発明は、仮設階段１の側枠３に仮設手摺り２の支柱５を取り付けるための取付装置であって、手摺り支柱５の下端部に階段側枠３の上面側を把持する上部クランプ部材１０を固定すると共に、その下方に階段側枠３の下面側を把持する下部クランプ部材１１を上部クランプ部材１０に対し開閉可能に枢着し、上下両クランプ部材１０，１１を互いに固定する固定手段を設け、該固定手段は、上下いずか一方のクランプ部材１０または１１の遊端部に取り付けてあって、上下両クランプ部材１０，１１により階段側枠３を把持した状態で他方のクランプ部材１１または１０の遊端部に設けたねじ孔にねじ込んで当該階段側枠３を締結する締結用ボルト１２からなり、上部クランプ部材１０は、手摺り支柱５を挟む両側一対の側面視略Ｌ字形側板１３，１３と両側板１３，１３の遊端部相互を一体に連結する連結板部１４，１５，１６とによって側面視略Ｌ字形に形成されたもので、両側板１３，１３のそれぞれの基端部側には上下２つのボルト挿通孔１７，１８が貫設され、両Ｌ字形側板１３，１３の基端部で支柱５の下端部を挟み付けた状態で、当該基端部の上下２つのボルト挿通孔１７，１８から支柱５の対応するボルト挿通孔に２本の固定用ボルト２１，２１を挿通して、それらのボルト２１，２１の突出端部にナット２２、２２を螺合し、これによって上部クランプ部材１０は手摺り支柱１５に固定され、また下部クランプ部材１１は、上部クランプ部材１０とは上下逆向きに配置されていて、上部クランプ部材１０の下方位置にあって、手摺り支柱５を挟む両側一対の側面視略Ｌ字形側板１３，１３と、両側板１３，１３の遊端部相互を一体に連結する連結板部１４，１５，１６とによって側面視略Ｌ字形に形成されたもので、両側板１３，１３の基端部側にボルト挿通孔１７が貫設され、両Ｌ字形側板１３，１３の基端部で支柱５の下端部を挟み付けた状態で、当該基端部の１つのボルト挿通孔１７から支柱５の対応するボルト挿通孔に固定用ボルト２１を挿通して、そのボルト２１の突出端部にナット２２を螺合し、これによって下部クランプ部材１１は上部クランプ部材１０に対し開閉可能に回動できるよう手摺り支柱１５に枢着されてなる構成を採用するものである。
【０００６】
請求項２は、請求項１に記載の仮設階段用手摺りの取付装置において、上部クランプ部材１０と下部クランプ部材１１とは互いに同じ形状に形成されている構成を採用するものである。
【０００７】
請求項３は、請求項１又は２に記載の仮設階段用手摺りの取付装置において、固定手段としての締結用ボルト１２が下部クランプ部材１１の遊端部に装着されている構成を採用ものである。
【０００８】
請求項４は、請求項１〜３のいずれかに記載の仮設階段用手摺りの取付装置において、固定手段としての締結用ボルト１２が蝶ボルトからなる構成を採用するものである。
【０００９】
【発明の実施の形態】
図１は、建設作業現場の足場装置Ｒに設けられた仮設階段１と、これに設置された仮設手摺り２を示している。仮設階段１は、左右の側枠３，３と両側枠３，３間に横架された複数のステップ部材４とによって構成され、各側枠３は、図３に示すような断面略横向きコ字形のアルミニウム合金製型材からなり、また各ステップ部材４は、断面は図示していないが断面略横向きコ字形のアルミニウム合金製型材からなる。
【００１０】
図２は仮設手摺り２を示したもので、この手摺り２は、両側一対の手摺り支柱５，５と、上下の横杆６，７と、上部横杆６の両端から一体に張り出して両手摺り支柱５，５の下部に連結される張出杆８，８とによって形成され、そして各手摺り支柱５の下端部に手摺り取付装置９が設けられている。これら支柱５、横杆６，７及び張出杆８は、鋼管またはアルミ合金製パイプにより形成される。各手摺り取付装置９は、手摺り支柱５の下端部に階段側枠３の上面側を把持する上部クランプ部材１０を固定すると共に、その下方に階段側枠３の下面側を把持する下部クランプ部材１１を上部クランプ部材１０に対し開閉可能に枢着し、上下両クランプ部材１０，１１を互いに固定する固定手段を設けてなるものである。
【００１１】
上下両クランプ部材１０，１１を互いに固定するための好ましい固定手段は、下部クランプ部材１１の遊端部を貫通して取り付けられていて、両クランプ部材１０，１１により階段側枠３を把持した状態で上部クランプ部材１０の遊端部に設けられたナット１９（図３参照）のねじ孔にねじ込んで当該階段側枠３を締結する締結用ボルト１２からなるものである。尚、固定手段としては、両クランプ部材１０，１１を互いに固定できるものであれば、この実施形態のような締結用ボルト１２に限定されない。
【００１２】
上記手摺り取付装置９の詳細な構造について図３の（Ａ）〜（Ｃ）を参照して説明すると、上部クランプ部材１０は、手摺り支柱５を挟む両側一対の側面視略Ｌ字形側板１３，１３と、両側板１３，１３の遊端部相互を一体に連結する連結板部１４，１５，１６とによって側面視略Ｌ字形に形成されたもので、両側板１３，１３のそれぞれの基端部側には上下２つのボルト挿通孔１７，１８が貫設され、また両側板１３，１３の遊端部間には締結用ボルト１２を螺合するためのナット１９が連結板部１６に固着され、また連結板部１５，１６には、ボルト挿通孔１５ａ，１６ａがナット１９と同軸状に貫設されている。
【００１３】
下部クランプ部材１１は、上部クランプ部材１０とは上下逆向きに配置されているだけで、それと全く同じ形状に形成されたものであって、手摺り支柱５を挟む両側一対の側面視略Ｌ字形側板１３，１３と、両側板１３，１３の遊端部相互を一体に連結する連結板部１４，１５，１６とによって側面視略Ｌ字形に形成され、両側板１３，１３の基端部側に上下２つのボルト挿通孔１７，１８が貫設され、両側板１３，１３の遊端部間に締結用ボルト１２を螺合するナット１９が連結板部１６に固着され、連結板部１５，１６にはボルト挿通孔１５ａ，１６ａがナット１９と同軸状に貫設されている。上下各クランプ部材１０，１１は、鋼板をプレス加工し、更に適宜に溶接を施すことによって形成される。
【００１４】
下部クランプ部材１１の遊端部に装着される締結用ボルト１２は、基端部に蝶形操作片１２ａ，１２ａを備えた蝶形ボルトからなるもので、連結板部１５側のボルト挿通孔１５ａからナット１９のねじ孔及び連結板部１６側のボルト挿通孔１６ａを軸方向スライド可能に貫通していて、先端側にねじ部１２ａが形成されている。しかして、この締結用ボルト１２は、基端部と先端ねじ部１２ａとの間で下部クランプ部材１１の遊端部に対しスライドするだけで、この遊端部から離脱することがない。図中２０はワッシャーである。
【００１５】
上部クランプ部材１０を支柱５の下端部に固定するには、図３の（Ａ）〜（Ｃ）から分かるように、両Ｌ字形側板１３，１３の基端部で支柱５の下端部上位側を挟み付けた状態で、当該基端部の上下２つのボルト挿通孔１７，１８から支柱５の対応するボルト挿通孔（図示省略）に２本の固定用ボルト２１，２１を挿通して、それらのボルト２１，２１の突出端部にナット２２、２２を螺合し、締め付け固定すればよい。また、下部クランプ部材１１を支柱５の下端部に枢着するには、上部クランプ部材１０と同様に両Ｌ字形側板１３，１３の基端部で支柱５の下端部上位側を挟み付けた状態で、当該基端部の１つのボルト挿通孔１７から支柱５の対応するボルト挿通孔（図示省略）に固定用ボルト２１を挿通して、そのボルト２１の突出端部にナット２２を螺合し、この下部クランプ部材１１が回動できるように締め付け固定すればよく、これにより下部クランプ部材１１は、図３（Ａ）の実線で示す閉じ位置と、同図の仮想線図示のような開放位置との間で回動することができて、上部クランプ部材１０に対し開閉可能となる。
【００１６】
上記のように構成される手摺り取付装置９を使用して手摺り２を仮設階段１の側枠３に取り付けるにあたっては、先ず、各支柱５の下端部に取り付けた手摺り取付装置９の下部クランプ部材１１を、図３の仮想線で示すような開放位置に回動しておく。しかして、手摺り２を仮設階段１の側枠３上に持ち来し、各手摺り取付装置９の上部クランプ部材１０を当該側枠３の上面にあずけて仮置きした後、下部クランプ部材１１を、開放位置から閉じ位置側へ回動して前記側枠３の下面側を把持する状態とし、その後締結用ボルト１２の先端ねじ部１２ｂを、上部クランプ部材１０の遊端部にあるナット１９のねじ孔にねじ込んで、上下両クランプ部材１０，１１により当該側枠３を締結固定すばよく、それによって手摺り２を階段側枠３に簡単容易に取り付けることができる。
【００１７】
上記のように、手摺り２の取り付けにあたって、各手摺り取付装置９の上部クランプ部材１０を階段側枠３の上面にあずけて仮置きできるため、手摺り２の荷重を側枠３に負担させることができると共に、所定の取付位置に対する位置決めが簡単となって、取付作業を容易に行うことができる。
【００１８】
この手摺り取付装置９によると、階段側枠３に孔開け等の下加工をする必要がなく、上下のクランプ部材１０，１１により階段側枠３の所要部位を上下両面側から把持して、締結用ボルト１２で締め付けるだけでよいから、手摺り２の仮設作業を迅速容易に行うことができる。この場合、締結用ボルト１２が蝶ボルトからなるため、ボルトを締め付けるのに工具を必要とせず、締め付け作業を迅速に行うことができる。
【００１９】
特に、この手摺り取付装置９は、上部クランプ部材１０が手摺り支柱５に固定されると共に、下部クランプ部材１１がそれに枢着され、更には締結用ボルト１２が下部クランプ部材１１に離脱しないように取り付けられているから、両クランプ部材１０，１１を互いに開放した時点で、両クランプ部材１０，１１及び締結用ボルト１２が脱落することがなく、従ってこれらクランプ部材１０，１１及び締結用ボルト１２を紛失するおそれがない。尚、締結用ボルト１２は、上部クランプ部材１０に装着してもよいが、下部クランプ部材１１に装着した場合には、階段側枠３への取り付けに際し、上部クランプ部材１０を側枠３の上面にあずけて、下部クランプ部材１１を閉じ位置に手で回動した後、この回動した手でそのまま締結用ボルト１２を締め付けることができるため、取付作業が能率良く行える。
【００２０】
また、この手摺り取付装置９は、図３の（Ａ）から分かるように、上下両クランプ部材１０，１１がそれぞれ側面視略Ｌ字形に形成されていて、両クランプ部材１０，１１と手摺り支柱５の下端部側面とで階段側枠３を抱持するようになっているから、階段側枠３を確実固定できて、手摺り支柱５を階段側枠３に強固に取り付け固定することができると共に、上下各クランプ部材１０，１１の幅を極力狭くできて構造の簡素化を図ることができる。
【００２１】
また、この手摺り取付装置９によると、上部クランプ部材１０と下部クランプ部材１１とが互いに同じ形状に形成されているから、１種類のクランプ部材を製作すれば、そのクランプ部材の向きを変えるだけで、上下両クランプ部材に共用できると共に、仮設階段１の左右いずれの側枠３にも取り付けることができ、従って製作コストを安くできる。また、この手摺り取付装置９は、上下クランプ部材１０，１１と固定手段としての締結用ボルト１２とからなるもので、部品点数が少なく、構造が簡単であるから、製作コストをより一層低減できる。
【００２２】
上述した実施形態では、上下両クランプ部材１０，１１をそれぞれ側面視略Ｌ字形に形成して、両クランプ部材１０，１１と手摺り支柱５の下端部側面とで階段側枠３を抱持するようにしているが、支柱５の下端部側面を使用せず、上下両クランプ部材１０，１１のみで階段側枠３を把持できるような構成としてもよい。
【００２３】
また、この実施形態では、仮設手摺り２を仮設階段１の左右両側枠３，３に取り付けているが、仮設手摺り２は、足場装置の状況によっては左右側枠３，３のいずれか一方に取り付けることができる。尚、仮設階段１の側枠３としては、図示のような断面コ字形の他、角筒状の側枠を使用することができる。
【００２４】
【発明の効果】
請求項１に係る発明の手摺り取付装置によれば、階段側枠に孔開け等の下加工をする必要がなく、上下のクランプ部材により階段側枠の所要部位をその上下両面側から把持して、固定手段により両クランプ部材を固定するだけでよいから、仮設手摺りの取付作業を迅速容易に行うことができる。また、手摺りの取り付けにあたって、手摺り取付装置の下部クランプ部材を開放させた状態で上部クランプ部材を階段側枠の上面にあずけて仮置きできるため、階段側枠上での位置決めが容易に行えると共に、手摺りの取り付け作業が非常に楽に行え、また取付位置の調整変更が可能である。
【００２５】
また、この手摺り取付装置は、上部クランプ部材が手摺り支柱に固定されていると共に、下部クランプ部材がそれに枢着されているから、両クランプ部材を互いに開放した時点で、両クランプ部材が脱落せず、従って紛失するおそれがない。また、この手摺り取付装置は、上下クランプ部材と固定手段とからなるもので、部品点数が少なく、構造が簡単であるから、製作コストを安くできる。
【００２６】
また、固定手段として、上下いずか一方のクランプ部材の遊端部を貫通して取り付けられ、上下両クランプ部材により階段側枠を把持した状態で他方のクランプ部材の遊端部に設けたねじ孔にねじ込んで当該階段側枠を締結する締結用ボルトを使用しているため、締結用ボルトを上記ねじ孔にねじ込んで締結するだけで、両クランプ部材を簡単に連結固定できると共に、固定手段の構造が簡単となる。また、両クランプ部材を開放しても、締結用ボルトが脱落せず、紛失することがない。
【００２７】
また、上下両クランプ部材がそれぞれ側面視略Ｌ字形に形成されていて、両クランプ部材と前記支柱の下端部側面とで階段側枠を抱持するようになっているため、階段側枠を確実に固定することができて、手摺り支柱を階段側枠に強固に取り付けできると共に、クランプ部材の幅を極力狭くできて構造の簡素化を図ることができる。
【００２８】
請求項２によれば、手摺り取付装置の上部クランプ部材と下部クランプ部材とが互いに同じ形状に形成されているため、１種類のクランプ部材を製作し、その取り付けに際し、クランプ部材の向きを変えるだけで、上下両方のクランプ部材に共用できると共に、仮設階段の左右いずれの側枠にも取り付けることができ、従って製作コストを一層安くできる。
【００２９】
請求項３によれば、締結用ボルトを下部クランプ部材に装着した場合には、側枠への取り付けに際し、下部クランプ部材を開放した状態で上部クランプ部材を側枠の上面にあずけ、下部クランプ部材を閉じ位置に手で回動した後、この回動した手でそのまま締結用ボルトを締め付けることができるから、取付作業が能率良く行える。
【００３０】
請求項４によれば、締結用ボルトが蝶ボルトからなるため、ボルトを締め付けるのに工具を必要とせず、締め付け作業を容易迅速に行うことができる。
【図面の簡単な説明】
【図１】  本発明に係る手摺り取付装置の使用状態を示す斜視図である。
【図２】  （Ａ）は仮設手摺りの正面図、（Ｂ）は側面図である。
【図３】  （Ａ）は手摺り取付装置の側面図、（Ｂ）は正面図、（Ｃ）は平面図である。
【符号の説明】
１          仮設階段
２          仮設手摺り
３          階段側枠
５          手摺り支柱
１０        上部クランプ部材
１１        下部クランプ部材
１２        締結用ボルト
【図１】
0003869515.tif 000002
【図２】
0003869515.tif 000003
【図３】
0003869515.tif 000004